(57)【要約】【課題】脱臭フィルタの脱臭の効率を向上させる。【解決手段】脱臭作用を有する両面段ボールに、段目と交差する方向に沿って表側のライナ（５）と中しん（４）を切断する第１切目線（１）と、段目と交差する方向に沿って裏側のライナ（３）と前記中しん（４）を切断する第２切目線（２）を交互に形成し、前記第１切目線（１）と前記第２切目線（２）に沿って前記両面段ボールを波形に折り曲げ、前記第１切目線（１）と前記第２切目線（２）のうちの一方の切目線の位置から段目に沿って他方の切目線の位置に通過する空気を脱臭する構成を脱臭フィルタに採用する。【選択図】図１
2008012176.tif 000002
【特許請求の範囲】
【請求項１】
脱臭作用を有する両面段ボールに、段目と交差する方向に沿って表側のライナ（５）と中しん（４）を切断する第１切目線（１）と、段目と交差する方向に沿って裏側のライナ（３）と前記中しん（４）を切断する第２切目線（２）を交互に形成し、前記第１切目線（１）と前記第２切目線（２）に沿って前記両面段ボールを波形に折り曲げ、前記第１切目線（１）と前記第２切目線（２）のうちの一方の切目線の位置から段目に沿って他方の切目線の位置に通過する空気を脱臭するようにした脱臭フィルタ。
【請求項２】
前記第１切目線（１）と前記第２切目線（２）のうちの一方の切目線を、前記表側のライナ（５）から前記裏側のライナ（３）に貫通して形成した請求項１に記載の脱臭フィルタ。
【請求項３】
段目に直角な方向の一端を水タンクに浸し、その水タンク内から毛管現象により水を吸い上げ、吸い上げた水を、一方の前記切目線の位置から段目に沿って他方の前記切目線の位置に通過する空気に接触し蒸発させる請求項１または２に記載の脱臭フィルタ。
【発明の詳細な説明】
【技術分野】
【０００１】
この発明は、空気を脱臭する脱臭フィルタの構造に関する。
【背景技術】
【０００２】
空気中の臭いを除去するため、空気清浄機が一般に用いられる。空気清浄機は、ファンやブロワの圧力で脱臭フィルタに空気を通過させ、フィルタに含まれる多孔性物質で空気中の臭いを吸着し、あるいは、フィルタに含まれる物質の化学反応や触媒作用によって空気中の臭いを分解する。
【０００３】
このような空気清浄機に用いられる脱臭フィルタとして、脱臭機能を付加した板紙からなる片面段ボールを積層した積層体で構成され、その段目に沿って空気を通過させるようにしたものが知られている。
【特許文献１】特開平３−２３８０１１号公報
【発明の開示】
【発明が解決しようとする課題】
【０００４】
しかし、この脱臭フィルタは、空気を均一に流入させるので、空気が段目に沿って層状に流れやすい。そのため、空気がフィルタと十分に接触する前にフィルタを通過してしまい、脱臭の効率が低かった。
【０００５】
この発明は、脱臭フィルタの脱臭の効率を向上させることを課題とする。
【課題を解決するための手段】
【０００６】
上記の課題を解決するために、脱臭作用を有する両面段ボールに、段目と交差する方向に沿って表側のライナと中しんを切断する第１切目線と、段目と交差する方向に沿って裏側のライナと前記中しんを切断する第２切目線を交互に形成し、前記第１切目線と前記第２切目線に沿って前記両面段ボールを波形に折り曲げ、前記第１切目線と前記第２切目線のうちの一方の切目線の位置から段目に沿って他方の切目線の位置に通過する空気を脱臭する構成を脱臭フィルタに採用した。
【０００７】
この脱臭フィルタは、前記第１切目線と前記第２切目線のうちの一方の切目線を、前記表側のライナから前記裏側のライナに貫通して形成するとより好ましいものとなる。
【０００８】
また、この脱臭フィルタは、段目に直角な方向の一端を水タンクに浸し、その水タンク内から毛管現象により水を吸い上げ、吸い上げた水を、一方の前記切目線の位置から段目に沿って他方の前記切目線の位置に通過する空気に接触し蒸発させるようにすると好ましい。
【発明の効果】
【０００９】
この発明の脱臭フィルタは、空気を別々の方向に分岐して流入させるので、流入した空気の流れに乱れが生じやすく、フィルタ内を空気が混合しながら流れやすい。そのため、フィルタを通過する空気が効率よくフィルタに接触し、脱臭の効率がよい。
【００１０】
また、前記第１切目線と前記第２切目線のうちの一方の切目線を、前記表側のライナから前記裏側のライナに貫通して形成したものは、第１切目線と第２切目線をいずれも同じ側から形成することができるので、生産が容易である。
【００１１】
また、段目に直角な方向の一端を水タンクに浸し、その水タンク内から毛管現象により水を吸い上げ、吸い上げた水を通過する空気に接触し蒸発させるようにしたものは、フィルタを通過する空気が効率よくフィルタに接触するので、水タンクからフィルタに吸い上げられた水が効率よく蒸発し、空気中の脱臭と加湿を効率よく同時に行なうことが可能となる。
【発明を実施するための最良の形態】
【００１２】
図１、図２に、この発明の実施形態の脱臭フィルタを示す。このフィルタは、空気中の臭いを吸着する多孔性物質を添加した段ボールからなり、図３に示すブランクを第１切目線１と第２切目線２に沿って波形に折り曲げて形成されている。
【００１３】
この脱臭フィルタのブランクは、図３に示すように、第１切目線１と第２切目線２が段目方向に一定の間隔をおいて交互に形成された方形の両面段ボールからなり、第１切目線１は、裏側のライナ３を残して表側のライナ５と中しん４を、段目に直角な方向に沿って全幅にわたって切断しており、第２切目線２は、表側のライナ５と中しん４と裏側のライナ３を、段目に直角な方向に沿って、両端を残して切断している。
【００１４】
このブランクは、表側からみて、各第１切目線１に沿って山折りするとともに、各第２切目線２に沿って谷折りすると、図１、図２に示すように、第１切目線１の位置と第２切目線２の位置に段目が露出した脱臭フィルタとなる。
【００１５】
この脱臭フィルタは、空気清浄機のファンまたはブロワの圧力によって第２切目線２の位置から第１切目線１の位置に空気を通過させ、フィルタに含まれる多孔性物質で空気中の臭いを吸着する。
【００１６】
この脱臭フィルタは、図４に示すように、空気が別々の方向に分岐して流入するので、フィルタに流入するときに空気の流れに乱れを生じ、フィルタ内を空気が混合しながら流れやすい。そのため、フィルタを通過する空気が効率よくフィルタに接触し、空気の臭いが効率よく除去される。
【００１７】
このフィルタは、段目に直角な方向の一端を水タンクに浸し、水タンク内の水を毛管現象により吸い上げ、吸い上げた水をフィルタ内を通過する空気に接触し蒸発させる加湿機能付きの脱臭フィルタとして用いてもよい。このようにすると、フィルタを通過する空気が効率よくフィルタに接触するので、水タンクからフィルタに吸い上げられた水が効率よく蒸発し、空気中の脱臭と加湿を効率よく同時に行なうことが可能となる。
【００１８】
段ボールに多孔性物質を添加する方法としては、たとえば、ゼオライトや活性炭などの多孔性物質を添加したパルプからなる板紙を製造し、その板紙を積層して段ボールにする方法が挙げられる。また、パルプに無機多孔性物質を添加する方法としては、たとえば、特開平１１−３１５４９２号公報に記載された方法が挙げられるが、他の方法で添加してもよい。
【００１９】
上記実施形態では、フィルタに含まれる多孔性物質で空気中の臭いを吸着するようにして段ボールに消臭作用を付加しているが、他の形式で消臭作用を付加した段ボールを用いてもよく、たとえば、化学反応や触媒作用によって空気中の臭いを分解する物質を添加した段ボールを用いてもよい。要は、空気に接触したときに空気中の臭いを除去する作用を有する段ボールであればよい。
【００２０】
また、上記実施形態では、第２切目線２を、両面段ボールの表側から裏側に貫通して形成することにより、第１切目線１と第２切目線２をいずれも表側から形成可能とし、フィルタの生産を容易化しているが、第２切目線は、第１切目線と同様、表側のライナを残して裏側のライナと中しんを全幅にわたって切断するように形成してもよい。要は、第２切目線が裏側のライナと中しんを切断していればよい。
【００２１】
また、上記実施形態では、第１切目線１と第２切目線２を段目に直角な方向に沿って形成しているが、第１切目線と第２切目線は、段目に対して斜めの方向に沿って形成してもよく、段目と交差する方向であればよい。
【００２２】
上記実施形態では、表側のライナと中しんと裏側のライナとからなる両面段ボールでフィルタを形成しているが、複両面段ボールでフィルタを形成するようにしてもよい。
【実施例】
【００２３】
この発明の実施品１、実施品２、実施品３をそれぞれ加湿機能付き脱臭フィルタとして用い、各実施品の加湿性能を比較した。
【００２４】
実施品１、実施品２、実施品３は、いずれも脱臭作用を有するＢフルートの両面段ボールからなる。各実施品はいずれも、図３に示すように、第１切目線１と第２切目線２が段目方向に一定の間隔をおいて交互に形成された両面段ボールを第１切目線１と第２切目線２に沿って波形に折り曲げたものであり、第１切目線１と第２切目線２に挟まれた部分の形状、大きさも同一である。
【００２５】
また、各実施品の両面段ボールを構成する板紙の給水度は、ＪＩＳ  Ｐ８１４１（紙及び板紙のクレム法による給水度試験方法）に規定する方法で試験したところ、１分間に上昇した水の高さが８２ｍｍ、１０分間に上昇した水の高さが１７４ｍｍであった。
【００２６】
しかし、各実施品は、波の個数（第２切目線２に沿って二つ折りした部分の個数）が互いに異なり、実施品１は１６個、実施品２は２４個、実施品３は３１個である。また、各実施品の重量は、実施品１が６３．８３ｇ、実施品２が９６．３１ｇ、実施品３が１２５．７１ｇである。
【００２７】
この各実施品を、外形寸法が同一（幅２１５ｍｍ、高さ１０２ｍｍ、奥行６７ｍｍ）となるように設置し、実施品の下部を水タンクに浸した。その状態で第２切目線２の側から第１切目線１の側に空気を通過させたときの水タンクの水の減少量を測定し、１時間あたりの減少量を水の蒸発量とした。
【００２８】
表１に、１回目の試験の条件と、試験結果を示す。
【表１】
2008012176.tif 000003
【００２９】
１回目の試験は、乾燥状態のフィルタの下部を水タンクに浸して３０分間経過した後に行ない、６時間連続してフィルタに空気を通過させた後にタンク内の水の減少量を測定した。
【００３０】
表２に、２回目の試験の条件と、試験結果を示す。
【表２】
2008012176.tif 000004
【００３１】
２回目の試験は、１回目の試験によりフィルタが完全に水に濡れた状態で行ない、２時間連続してフィルタに空気を通過させた後にタンク内の水の減少量を測定した。
【００３２】
１回目、２回目のいずれの試験においても、実施品１は、実施品２よりも水の蒸発量が少ない。これは、実施品１は、実施品２よりも波の個数が少なく、フィルタを通過した空気の量が少ないためと考えられる。
【００３３】
しかし、実施品１は、実施品２よりも波の個数あたりの水の蒸発量が大きい。これは、実施品１は、実施品２よりもフィルタに流入する空気の分岐する角度が大きく、フィルタに流入した空気により乱れを生じやすい。そのため、フィルタ内を流れる空気がより混合しやすく、フィルタを通過する空気がより効率的にフィルタに接触するためと考えられる。
【００３４】
また、１回目、２回目のいずれの試験においても、実施品２は、実施品３よりもフィルタを通過した空気の量が小さいにもかかわらず、実施品３よりも水の蒸発量が多い。これは、実施品２は、実施品３よりもフィルタに流入する空気の分岐する角度が大きく、フィルタを通過する空気がより効率的にフィルタに接触するためと考えられる。
【図面の簡単な説明】
【００３５】
【図１】この発明の実施形態の脱臭フィルタを示す斜視図
【図２】図１の脱臭フィルタを反対側から見た斜視図
【図３】図１の脱臭フィルタのブランクを示す図
【図４】図１の脱臭フィルタの断面図
【符号の説明】
【００３６】
１      第１切目線
２      第２切目線
３      裏側のライナ
４      中しん
５      表側のライナ
【図１】
2008012176.tif 000005
【図２】
2008012176.tif 000006
【図３】
2008012176.tif 000007
【図４】
2008012176.tif 000008